(57)【特許請求の範囲】
【請求項１】
空調のための空調空気を吹き出す吹出口が屋内空間の床部に設けられている建物において前記床部の上であって前記吹出口の上方に載置される収納棚であって、
対向する一対の側面板と、
前記床部から上方に離間した位置にて前記一対の側面板により固定支持されている固定棚板と、
を備え、
前記一対の側面板の間であって前記固定棚板の下側にある下側空間部は、前記一対の側面板の間において棚前面側の開放部により開放され、且つ前記吹出口に通じるものであり、
前記下側空間部には、設置位置が可変とされている可動棚板と、前記可動棚板を支持し且つ床面に対する前記可動棚板の傾斜角度を調整可能な棚板支持手段とが設けられていることを特徴とする収納棚。
【請求項２】
前記一対の側面板と前記固定棚板とを有してなる棚本体は木製材料により形成され、前記可動棚板は合成樹脂材料により形成されていることを特徴とする請求項１に記載の収納棚。
【請求項３】
前記空調空気を生成する空調装置の運転状態を取得する手段と、
前記可動棚板の傾斜角度を調整するために駆動する手段と、
前記空調装置の運転状態に基づいて前記可動棚板の傾斜角度を調整するための制御を行う手段と、
を備えていることを特徴とする請求項１又は２に記載の収納棚。
【請求項４】
前記開放部を通じた前記下側空間部への埃の侵入状況を判定する手段と、
前記埃の侵入状況に基づいて前記可動棚板の傾斜角度を調整するための制御を行う手段と、
を備えていることを特徴とする請求項１乃至３のいずれか１項に記載の収納棚。
【請求項５】
前記棚板支持手段は、前記一対の側面板のそれぞれに取り付けられ且つ前記可動棚板が載置される突起部を有し、
前記可動棚板が前記突起部に載置される位置は、前記側面板の前面寄り及び背面寄りのそれぞれにおいて上下方向に並べて複数設定されていることを特徴とする請求項１又は２に記載の収納棚。
【発明の詳細な説明】
【技術分野】
【０００１】
本発明は、建物において床面に載置される収納棚に関するものである。
【背景技術】
【０００２】
住宅等の建物において、エアコン等の空調装置が設置される場所は空調方式や屋内空間のレイアウトなどに合わせて設定される。このため、空調装置にて生成された空調空気を吹き出す吹出口の設置位置も様々である。例えば特許文献１には、空調機が床下に設置され、空調空気の吹出口が床部に設けられた構成が記載されている。この構成では、家具の台輪を利用して屋内空間への空調空気の吹き出しが行われる。具体的には、家具の台輪に空調ダクトが設けられ、空調空気は空調ダクトを通じて屋内空間に放出される。
【先行技術文献】
【特許文献】
【０００３】
【特許文献１】実開平６−７８７４８号公報
【発明の概要】
【発明が解決しようとする課題】
【０００４】
しかしながら、家具の台輪に空調ダクトが設けられている構成では、構成の煩雑化を招き、さらに床部の吹出口と空調ダクトとを連結する等の作業が強いられる。かといって、空調ダクトがない家具を吹出口の上に設置すると、吹出口からの空調空気が家具の下側に滞留することが懸念される。また、家具の下面が吹出口を塞いでしまうことも考えられる。特に、空調空気が家具の下側に滞留した場合には、この空調空気による屋内空間の空調効率が低下すると考えられる。
【０００５】
本発明は、空調空気用の吹出口が床部に設けられた建物において、吹出口の上方に設置されても空調空気による好適な空調を行うことができる収納棚を提供することを主たる目的とする。
【課題を解決するための手段】
【０００６】
上記課題を解決するために、第１の発明の収納棚は、空調のための空調空気を吹き出す吹出口が屋内空間の床部に設けられている建物において前記床部の上であって前記吹出口の上方に載置される収納棚であって、対向する一対の側面板と、前記床部から上方に離間した位置にて前記一対の側面板により固定支持されている固定棚板と、を備え、前記一対の側面板の間であって前記固定棚板の下側にある下側空間部は、前記一対の側面板の間において棚前面側の開放部により開放され、且つ前記吹出口に通じるものであり、前記下側空間部には、設置位置が可変とされている可動棚板と、前記可動棚板を支持し且つ床面に対する前記可動棚板の傾斜角度を調整可能な棚板支持手段とが設けられていることを特徴とする。
【０００７】
第１の発明によれば、収納棚の棚板を利用することで空調空気の流れを調整できる。特に、吹出口の上方に収納棚が設置された場合、可動棚板の傾斜角度を調整することにより、吹出口から下側空間部に吹き出された空調空気が棚前面側の開放部を通じて屋内空間に流れ出しやすい状態とすることが可能となる。このため、空調空気が収納棚の下側に滞留して屋内空間の空調効率が低下することを抑制できる。これにより、空調空気用の吹出口が床部に設けられた建物において、収納棚が吹出口の上方に設置されても空調空気による好適な空調を行うことができる。
【０００８】
第２の発明では、前記可動棚板は、少なくともその下面が、温度変化による劣化変質に対する耐性が高い高耐性部とされている。
【０００９】
吹出口から吹き出された空調空気が可動棚板の下面に直接当たる位置に収納棚が設置された場合、可動棚板は、空調空気としての涼気や暖気が直接当たること温度変化して劣化変質することが懸念される。この点、第２の発明によれば、可動棚板の下面が高耐性部とされているため、涼気や暖気が可動棚板の下面に当たっても可動棚板が劣化変質することを抑制できる。
【００１０】
第３の発明では、前記一対の側面板と前記固定棚板とを有してなる棚本体は木製材料により形成され、前記可動棚板は合成樹脂材料により形成されている。
【００１１】
第３の発明によれば、可動棚板が合成樹脂製とされているため、空調空気が可動棚板に当たっても可動棚板が劣化変質することを抑制できる。
【００１２】
第４の発明では、前記棚板支持手段は、前記一対の側面板のそれぞれに取り付けられ且つ前記可動棚板が載置される突起部を有し、前記可動棚板が前記突起部に載置される位置は、前記側面板の棚前面寄り及び棚背面寄りのそれぞれにおいて上下方向に並べて複数設定されている。
【００１３】
第４の発明によれば、可動棚板が突起部に載置される位置が側面板の前面寄りと背面寄りとで異なる高さとされることにより、可動棚板を傾斜させた状態で保持することができる。したがって、可動棚板を前面側の端部が上端となるように傾斜させることにより、空調空気が棚前面側の開放部を通じて下側空間部から屋内空間に流れ出しやすくなる。
【００１４】
なお、前記可動棚板が前記突起部に載置される位置が上下方向に並べて複数設定されている構成としては、前記側面板において上下方向に並べてダボ穴が複数設けられ、それらダボ穴のいずれかにダボが挿入されることで前記突起部が形成されている構成や、前記側面板において上下方向に並べて突起部が複数設けられている構成が挙げられる。
【００１５】
第５の発明では、前記空調空気を生成する空調装置の運転状態を取得する手段と、前記可動棚板の傾斜角度を調整するために駆動する手段と、前記空調装置の運転状態に基づいて前記可動棚板の傾斜角度を調整するための制御を行う手段と、を備えている。
【００１６】
第５の発明によれば、空調装置の運転状態に合わせて、空調空気の流れ出る方向を可変とすることができる。例えば、冷房運転時のように空調空気（冷房空気）を上方に向けて吹き出させたい場合には、可動棚板を棚前面側が棚背面側よりも上になるように傾斜させるとよく、暖房運転時のように空調空気（暖房空気）を足元に向けて吹き出させたい場合には、可動棚板を棚前面側が棚背面側よりも下になるように傾斜させるとよい。これにより、空調効果を屋内空間全体に付与できる。
【００１７】
第６の発明では、前記開放部を通じた前記下側空間部への埃の侵入状況を判定する手段と、前記埃の侵入状況に基づいて前記可動棚板の傾斜角度を調整するための制御を行う手段と、を備えている。
【００１８】
第６の発明によれば、棚前面側の開放部から下側空間部への埃の侵入状況に合わせて、可動棚板により空調空気の流れ出る方向を可変とすることができる。例えば、棚前面側の開放部から下側空間部に埃が入りそうな場合に、可動棚板を棚前面側の端部が下端となるように傾斜させることにより、開放部において空調空気が放出される部分を狭くする。この場合、埃が開放部から下側空間部に入りにくくなり、また、埃が入っても空調空気の風速を高めて埃を吹き飛ばすことができる。これにより、下側空間部に埃が侵入して溜まることを抑制できる。
【図面の簡単な説明】
【００１９】
【図１】本実施形態における全館空調システムの構成を示す概略図。
【図２】収納棚の構成を示す図。
【図３】収納棚制御システムの構成を示す概略図。
【図４】収納棚の使用例を示す図。
【発明を実施するための形態】
【００２０】
以下、本発明を具体化した一実施形態について図面を参照しつつ説明する。本実施形態では、本発明を、空調装置にて生成された空調空気を複数の屋内空間に供給する全館空調システムについて具体化している。図１は全館空調システムの構成を示す概略図、図２は収納棚４１の構成を示す図である。なお、図２においては、（ａ）に収納棚４１の斜視図を示し、（ｂ）に収納棚４１の横断面図を示す。
【００２１】
図１に示すように、住宅等の建物１０には、屋内空間として、リビング等の居室１１と、居室１１に通じている廊下１２と、機械室１３とが設けられている。機械室１３は居室１１及び廊下１２と隣り合っており、間仕切壁１５に設けられた通気路１６を通じて居室１１及び廊下１２と通気可能に通じている。なお、通気路１６は、ドアのアンカーカットなどにより形成されている。機械室１３等の屋内空間の下方には床下空間１８が設けられており、屋内空間と床下空間１８とは床部１９により上下に仕切られている。床部１９は、床下地材及び床仕上材を含んで構成されている。
【００２２】
全館空調システムは、空調装置３１を含んで構成されており、空調装置３１は機械室１３に設置されている。空調装置３１は、取込口３２から内気を還気ＲＡとして取り込み、取り込んだ還気ＲＡを加熱又は冷却して空調空気を生成するとともにその空調空気を給気ＳＡとして吹出口３３から吹き出す。取込口３２は空調装置３１に取り付けられており、機械室１３の空気を還気ＲＡとして取り込む。吹出口３３は、居室１１及び廊下１２において床部１９にそれぞれ設けられており、それら吹出口３３は空調ダクト３４により空調装置３１に接続され、給気ＳＡを上方に向けて吹き出す。なお、空調装置３１においては、空調空気の生成が生成部により行われ、空気の取り込み及び吹き出しが給気ファンにより行われる。
【００２３】
ちなみに、吹出口３３は、キッチンなど他の屋内空間にも設けられており、その吹出口３３も空調ダクト３４により空調装置３１に接続されている。
【００２４】
居室１１において床部１９には、木製の収納棚４１が載置されており、収納棚４１には書籍や装飾品などの物品が収納されている。収納棚４１の上面にはテレビ４３が載置されている。このため、収納棚４１は、テレビ台としての機能を有していることになる。
【００２５】
図２に示すように、収納棚４１は、対向する一対の側面板５１と、それら側面板５１に固定された固定棚板５２とを有しており、それら側面板５１及び固定棚板５２により棚本体が構成されている。一対の側面板５１は互いに離間して配置されており、略鉛直方向に平行に延びている。固定棚板５２は、一対の側面板５１に架け渡された状態で略水平方向に延びており、ビス等の固定具により側面板５１に連結されている。固定棚板５２は、互いに離間した状態で上下方向に複数並べられており、各固定棚板５２についてその上側スペースが収納スペースとなる。複数の固定棚板５２のうち最上段の固定棚板５２は、収納棚４１の上面を形成する天板に相当し、一対の側面板５１の各上端に固定されている。
【００２６】
一対の側面板５１の間においては、収納スペースが一方に開放されている。具体的には、収納棚４１において収納スペースの開放側とは反対側に背面板５３が設けられている。背面板５３は略鉛直方向に延びており、一対の側面板５１の各側端にビス等により連結されている。背面板５３は側面板５１とほぼ同じ高さ寸法を有しており、側面板５１とともに起立した状態で載置されている。
【００２７】
複数の固定棚板５２のうち最下段の固定棚板５２は、側面板５１の下端よりも上方に配置されており、その最下段の固定棚板５２の下方には、一対の側面板５１の間において下側空間部５４が存在している。下側空間部５４は、固定棚板５２の収納スペースと同様に、背面板５３とは反対側が前面開放部５５により側方に向けて開放されている。また、下側空間部５４は、下方に向けて開放されており、収納棚４１が床部１９に載置された状態で下側空間部５４側に床面が露出している。この場合、下側空間部５４は、最下段の固定棚板５２と床面とに挟まれた横長の扁平空間となっている。
【００２８】
収納棚４１は、吹出口３３の上方において床部１９の上に載置されている。収納棚４１は、吹出口３３が一対の側面板５１の間に配置されるように設置され、吹出口３３を塞がないように跨いだ状態となっている。
【００２９】
この場合、吹出口３３から空調空気として涼気（冷房空気）や暖気（暖房空気）が吹き出されると、それら涼気や暖気による下側空間部５４の温度変化に伴って、収納棚４１における下側空間部５４を形成する部分が劣化変質（例えば変形や変色）することが懸念される。これに対して、収納棚４１においては下側空間部５４を形成する部分に高耐性部（図示略）が設けられている。高耐性部は、合成樹脂材料等の耐熱性や耐水性を有する材料により層状に形成されており、温度変化による劣化変質に対して耐性が高くなっている。高耐性部は、最下段の固定棚板５２の下面と、側面板５１及び背面板５３の下側空間部５４に面する部分とにそれぞれ配置されている。これにより、涼気や暖気が下側空間部５４に充満しても、最下段の固定棚板５２や側面板５１、背面板５３が劣化変質することを抑制できる。
【００３０】
また、吹出口３３から空調空気が吹き出された場合、下側空間部５４が扁平空間であることなどから、空調空気が下側空間部５４から居室１１側に流れ出ずに滞留することが懸念される。そこで、本実施形態では、変位可能な可動棚板５７が設けられており、可動棚板５７の傾斜角度を調整することで、空調空気が下側空間部５４から居室１１側に流れ出しやすい状態とすることが可能となっている。
【００３１】
可動棚板５７は、合成樹脂材料等の耐熱性や耐水性を有する材料により板状に形成されており、可動棚板５７全体が、温度変化による劣化変質に対して耐性が高い高耐性部となっている。可動棚板５７は中空部を有し、その中空部には、可動棚板５７の断熱性を高めるべく、硬質ウレタンフォームなどの発泡プラスチック系断熱材が設けられている。可動棚板５７は、最下段の固定棚板５２と側面板５１の下端との間において下側空間部５４に配置されており、その下側空間部５４を上下に仕切っている。可動棚板５７は、前面開放部５５側の端部が上端であってその反対側（背面板５３側）の端部が下端となるように傾斜した状態で、一対の側面板５１により支持されている。
【００３２】
一対の側面板５１には、突起部を構成するダボ６１がそれぞれ取り付けられており、可動棚板５７は、両側端がそれぞれダボ６１の上に載置された状態で位置保持されている。具体的には、ダボ６１は断面円形の棒部材とされ、側面板５１の下側空間部５４側の板面には、ダボ６１が挿入されるダボ穴６２が形成されており、ダボ６１の一端側が、他端側が下側空間部５４側に露出した状態でダボ穴６２に挿入されている。この場合、ダボ６１はダボ穴６２に嵌合されており、ダボ６１の他端側が突起部に相当し、その突起部に可動棚板５７が載置されている。
【００３３】
ダボ穴６２は、一対の側面板５１のそれぞれにおいて、棚前面寄り（前面開放部５５寄り）及び棚背面寄り（背面板５３寄り）のそれぞれに複数ずつ配置されており、複数のダボ穴６２は、互いに離間して上下に並べられている。前面開放部５５側に配置されたダボ６１は、背面板５３側に配置されたダボ６１よりも高い位置のダボ穴６２に対して固定されており、可動棚板５７、それらダボ６１に載置されることにより傾斜状態で保持されている。この場合、前面開放部５５側のダボ６１と、背面板５３側のダボ６１との高さ位置の差が大きくなるようにそれぞれのダボ穴６２が選択されることにより、可動棚板５７の傾斜角度が大きくなる。一方、それらダボ６１が同じ高さ位置となるようにそれぞれのダボ穴６２が選択されることにより、可動棚板５７は傾斜角度が小さくされ水平状態にて位置保持される。
【００３４】
なお、ダボ６１及びダボ穴６２が棚板支持手段を構成している。また、側面板５１は、固定棚板５２及び可動棚板５７を支持する支持脚部に相当し、可動棚板５７は、収納棚４１において底面を形成する底板に相当する。
【００３５】
可動棚板５７における背面板５３側の端部は背面板５３と当接又は近接しており、下側空間部５４は可動棚板５７により上下に仕切られている。このため、吹出口３３から空調空気が吹き出された場合、空調空気は可動棚板５７の上側スペースに流れ込まずに、可動棚板５７の下側にて前面開放部５５から流れ出る。この場合、可動棚板５７が前面開放部５５側の端部が上端となるように傾斜していれば、空調空気は可動棚板５７の下面に沿って斜め上方に流れることで、前面開放部５５から流れ出しやすくなる。
【００３６】
可動棚板５７の傾斜角度が電動で調整される構成としてもよく、この構成について図３を参照しつつ説明する。この場合、可動棚板５７の傾斜角度を調整する収納棚制御システムが構築されており、図３は収納棚制御システムの構成を示す概略図である。
【００３７】
図３に示すように、収納棚４１において可動棚板５７は、支持手段としての回動軸部７１により側面板５１に対して回動可能に軸支されている。可動棚板５７の回動軸線は水平方向に延びており、回動に伴って可動棚板５７の床面に対する傾斜角度が変化する。回動軸部７１は、可動棚板５７における背面板５３側の端部に設けられており、可動棚板５７における背面板５３側の端部は背面板５３と当接又は近接し、下側空間部５４は上下に仕切られている。この場合、可動棚板５７の回動に伴って可動棚板５７が側面板５１から離間することを抑制しつつ、可動棚板５７における前面開放部５５側の端部を、可動棚板５７の回動に伴って上下に移動させることが可能となる。
【００３８】
なお、回動軸部７１が棚板支持手段に相当する。また、回動軸部７１は、可動棚板５７における前面開放部５５側に配置されていてもよく、可動棚板５７の中間位置に配置されていてもよい。
【００３９】
収納棚４１には、可動棚板５７の回動駆動を行う棚板駆動部７２が設けられている。棚板駆動部７２は、電気モータを含んで構成されており、可動棚板５７は、棚板駆動部７２の駆動に伴って傾斜角度が変化する。
【００４０】
次に、収納棚制御システムの電気的な構成について説明する。収納棚システムにおいて制御手段としてのコントローラ７５は、ＣＰＵや各種メモリ等からなるマイクロコンピュータを含んで構成されており、例えば居室１１の内壁面に取り付けられている。
【００４１】
コントローラ７５には、居室１１において収納棚４１の前面開放部５５周辺に埃が存在することを検出する埃センサ７６が接続されており、埃センサ７６は検出信号をコントローラ７５に対して出力する。埃センサ７６は、収納棚４１における前面開放部５５側の側面に取り付けられている。
【００４２】
コントローラ７５には、空調装置３１と棚板駆動部７２とが接続されており、コントローラ７５は指令信号を出力することにより空調装置３１及び棚板駆動部７２の動作制御を行う。空調装置３１は、運転状態に関する情報を検出信号としてコントローラ７５に対して出力する。運転状態に関する情報には、冷房や暖房といった運転モード、空調空気の吹き出し量が含まれており、運転モードは生成部にて検出され、空調空気の吹き出し量は給気ファンにて検出される。
【００４３】
コントローラ７５は、空調装置３１が冷房運転を行っている場合、可動棚板５７を前面開放部５５側の端部が上端となるように傾斜させる。この場合、吹出口３３から吹き出された空調空気としての涼気が、可動棚板５７の下面に沿って斜め上方に向けて流れることで前面開放部５５から居室１１に流出しやすくなるため、涼気が下側空間部５４に滞留することを抑制できる。しかも、涼気が居室１１の上部に向けて流れ出るため、冷房効果を居室１１の下部だけでなく居室１１全体に付与できる。
【００４４】
一方、空調装置３１が暖房運転を行っている場合、可動棚板５７を前面開放部５５側の端部が下端となるように傾斜させる。この場合、暖気が居室１１の下部に向けて流れ出るため、暖房効果を居室１１の上部だけでなく居室１１全体に付与できる。
【００４５】
コントローラ７５は、埃センサ７６により埃が検出された場合に、埃が前面開放部５５から下側空間部５４に入りそうであるとして、可動棚板５７を前面開放部５５側の端部が下端となるように傾斜させる。この場合、前面開放部５５において空調空気が流れ出す部分（可動棚板５７の下側部分）が小さくされるため、その部分から埃が下側空間部５４に侵入することを抑制でき、ひいては埃が吹出口３３から空調ダクト３４側に侵入することを抑制できる。しかも、前面開放部５５において空調空気が流れ出す部分が小さくされることで空調空気の風速が高められるため、下側空間部５４に入りそうな埃を吹き飛ばすことができる。
【００４６】
以上詳述した本実施形態によれば、以下の優れた効果が得られる。
【００４７】
収納棚４１においては、一対の側面板５１の間であって最下段の固定棚板５２の下方に下側空間部５４が設けられているため、吹出口３３を塞ぐことなく収納棚４１を設置できる。また、下側空間部５４は前面開放部５５を通じて居室１１に開放されているため、吹出口３３から吹き出された空調空気を居室１１に流出させることができる。
【００４８】
しかも、例えば下側空間部５４に可動ガラリが設けられた場合とは異なり、可動棚板５７の傾斜角度を調整することにより、収納棚４１の意匠性を損なうことなく、空調空気が下側空間部５４から流出しやすい状態とすることができる。この場合、空調空気が下側空間部５４に滞留しにくくなるため、空調空気が下側空間部５４から流れ出さないことで居室１１の空調効率が低下するということを抑制できる。したがって、吹出口３３が床部に設けられた建物１０において、収納棚４１が吹出口３３の上方に設置されても空調空気による好適な空調を行うことができる。
【００４９】
また、可動棚板５７の傾斜角度が調整可能であるため、吹出口３３から空調空気が吹き出されていない場合や、吹き出されていても暖房時など空調空気が下側空間部５４に滞留しにくい場合、収納棚４１が吹出口３３の上方に設置されていない場合などは、傾斜角度を調整して可動棚板５７を水平方向に延びる状態とすることにより、可動棚板５７が傾斜していることで可動棚板５７の使用が制限されるという不都合を解消できる。つまり、下側空間部５４が収納に関してデッドスペースとなることを回避できる。
【００５０】
さらに、収納棚４１と人の動線との関係に合わせて可動棚板５７の角度調整を行うことにより、収納棚４１から居室１１に流れ出る空調空気が人に直接当たることを回避できる。これにより、空調空気が当たるという違和感を住人等に与えることを抑制できる。
【００５１】
可動棚板５７全体が高耐性部とされているため、空調空気により可動棚板５７が加熱又は冷却されて温度変化しても、可動棚板５７の劣化変質が生じることを抑制できる。この場合、可動棚板５７の劣化変質に対する対策が施されていることになるため、収納棚４１を、吹出口３３から上方に向けて吹き出された空調空気が可動棚板５７に直接当たる位置に設置することが可能となる。また、仮に可動棚板５７に結露水が付着しても、その結露水により可動棚板５７が劣化変質することを抑制できる。
【００５２】
収納棚４１の側面板５１、背面板５３及び最下段の固定棚板５２において下側空間部５４に面する部分に高耐性部が設けられているため、それら部分が空調空気による温度変化や結露水の付着により劣化変質することを抑制できる。
【００５３】
可動棚板５７がダボ６１の上に載置されて支持されている構成において、側面板５１には、複数のダボ穴６２が上下に並べて配置されているため、ダボ６１の挿入先を他のダボ穴６２に変更するという容易な作業により可動棚板５７の傾斜角度を変更できる。
【００５４】
可動棚板５７の傾斜角度が電動で調整される構成においては、空調装置３１の運転状態に合わせて前面開放部５５から空調空気の流れ出る方向を可変とすることができる。この場合、空調空気が涼気及び暖気のいずれであっても居室１１全体に行き渡りやすい状態とすることができる。つまり、空調効果を居室１１全体に付与できる。
【００５５】
また、収納棚４１において前面開放部５５から下側空間部５４に埃が入りそうな場合に、前面開放部５５における空調空気が流れ出す部分を可動棚板５７により縮小化できる。この場合、空調空気が流れ出す際の風速を高めて埃を吹き飛ばすことができる。これにより、下側空間部５４に埃が侵入してその埃が溜まることを抑制できる。
【００５６】
（他の実施形態）
本発明は上記実施形態の記載内容に限定されず、例えば次のように実施してもよい。
【００５７】
（１）収納棚４１は、図４（ａ）に示すように、複数横並びに配置されてもよい。また、収納棚４１において、下側空間部５４は左右に仕切られていてもよい。例えば、図４（ｂ）に示すように、収納棚４１において、一対の側面板５１の間に仕切板８１が設けられている構成とする。仕切板８１は、側面板５１と同様に、上下方向に延びているとともに固定棚板５２及び可動棚板５７を支持している。なお、図４は収納棚４１の使用例を示す図であり、図４（ｂ）には収納棚４１が本棚として使用された場合の構成を示す。
【００５８】
（２）収納棚４１において可動棚板５７は、温度変化による劣化変質に対して耐性が低い木材等の材料により形成されていてもよい。ただし、この場合は、可動棚板５７の表面に、合成樹脂材料等により形成された高耐性部が設けられていることが好ましい。
【００５９】
（３）収納棚４１において最下段の固定棚板５２が、温度変化による劣化変質に耐性が高い材料により形成されていてもよい。つまり、固定棚板５２全体が高耐性部とされていてもよい。これは、他の固定棚板５２、側面板５１及び背面板５３についても同様である。
【００６０】
（４）収納棚４１においては、下側空間部５４の下側に底板が設けられていてもよい。ただし、この場合、収納棚４１が吹出口３３の上方に設置された状態において吹出口３３と下側空間部５４とを連通させる連通部が底板に形成されていることが好ましい。これにより、吹出口３３が底板により塞がれてしまうということを回避できる。
【００６１】
（５）収納棚４１において可動棚板５７は、背面板５３から離間して配置されていてもよい。この場合でも、下側空間部５４において空調空気は可動棚板５７の上側スペースを通じて前面開放部５５から居室１１に流れ出す。
【００６２】
（６）収納棚４１において可動棚板５７は複数設けられていてもよい。この場合、各可動棚板５７が背面板５３から離間して配置されていれば、隣り合う可動棚板５７の間から空調空気が流れ出すことになる。このため、複数の可動棚板５７の傾斜角度をそれぞれ調整することにより、前面開放部５５から流れ出す空調空気の流出方向や流出量をきめ細かく設定することができる。
【００６３】
（７）上記実施形態では、側面板５１に設けられた複数のダボ穴６２のいずれかにダボ６１が固定されているが、全てのダボ穴６２にダボ６１が固定されていてもよい。この場合、可動棚板５７を載置するダボ６１を変更することにより可動棚板５７の傾斜角度を調整できる。
【００６４】
また、側面板５１の下側空間部５４側に向けて突出する木片等の突起部が、ビス等の固定具により着脱不可な状態で側面板５１に取り付けられていてもよい。この場合、突起部は側面板５１の棚前面寄り及び棚背面寄りのそれぞれにおいて、上下方向に並べて複数配置されていることが好ましい。
【００６５】
（８）収納棚４１において可動棚板５７は設けられていなくてもよい。この場合でも、吹出口３３の上方に収納棚４１が設置された構成において、吹出口３３から吹き出された空調空気を下側空間部５４を通じて居室１１に供給することが可能となる。
【００６６】
（９）吹出口３３は、空調空気を斜め上方や側方に吹き出す構成とされていてもよい。
【００６７】
（１０）収納棚４１には、前面開放部５５を開閉する開閉板が設けられていてもよい。開閉板は、一対の側面板５１のうち一方に回動可能に軸支されており、その回動軸は上下方向に延びている。また、収納棚４１には、開閉板を開閉駆動する駆動部が設けられており、その駆動部はコントローラ７５と電気的に接続されている。コントローラ７５は、居室１１において前面開放部５５の周辺に埃がある場合に、開閉板を閉鎖させる。これにより、前面開放部５５から下側空間部５４に埃が侵入することを抑制できる。
【００６８】
（１１）収納棚制御システムにおいて、コントローラ７５は空調装置３１の動作制御を行ってもよい。例えば、収納棚４１がキッチンカウンタとして使用され、調理者に合わせて吹出口３３から空調空気を吹き出させる構成とする。この構成では、収納棚制御システムが、キッチンカウンタに調理者がいることを検出する人感センサと、キッチンカウンタにて水が使用されていることを検出する水使用センサと、キッチンカウンタにてガスが使用されていることを検出するガス使用センサとを有しており、コントローラ７５は、キッチンカウンタにて調理者が水及びガスの少なくとも一方を使用している場合に、吹出口３３から空調空気が吹き出るように空調装置３１の動作制御を行う。
【符号の説明】
【００６９】
１０…建物、１１…屋内空間としての居室、１９…床部、３１…空調装置、４１…収納棚、５１…側面板、５２…固定棚板、５３…下側空間部、５５…前面開放部、５７…可動棚板、６１…突起部を構成するダボ、７１…可動軸部、７２…駆動する手段としての棚板駆動部、７５…制御を行う手段としてのコントローラ、７６…埃センサ。
【図１】
0005675017.tif 000002
【図２】
0005675017.tif 000003
【図３】
0005675017.tif 000004
【図４】
0005675017.tif 000005